(57)【要約】【課題】  震災時等の緊急時に他のコンテナと組み合わせて有機的に車両を活用する。【解決手段】  給水コンテナ１は、底板２の前部に形成される前脚３と、底板２の後部に形成されるローラ４と、車両１００に搭載する場合に案内するため底板２の下面に長手方向に形成されるガイド５と、車両１００に底板２を固縛するため底板に形成される固縛装置６と、底板２の前端部に左右方向に立設された前板７と、前板７に固定される掛合部材８と、を備え、底板２に固定され、供給口９と排出口１０を有する給水タンク１１と、排出口１０に固定された給水管１２と、給水管１２に配設した複数の給水バルブ１３と、を備え、車両１００に搭載されるとき車両のフック１０１で掛合部材８を引っ掛けアーム１０２の動作で車両１００の前方に移動させ、車両１００から降ろすとき車両１００のフック１０１で掛合部材８を引っ掛けアーム１０２の動作で車両１００の後方に移動させる。【選択図】  図１
2012240584.tif 000002
【特許請求の範囲】
【請求項１】
底板の前部に形成される前脚と、
底板の後部に形成されるローラと、
コンテナ脱着装置付き車両に搭載する場合に案内するガイドと、
コンテナ脱着装置付き車両に固縛する固縛装置と、
前板に固定される掛合部材と、
を備え、コンテナ脱着装置付車両に脱着自在に構成され、
底板に固定され、供給口と排出口を有する給水タンクと、
前記排出口に固定された給水管と、
該給水管に配設した給水バルブと、
を備え、
前記コンテナ脱着装置付車両に搭載されるときには、前記コンテナ脱着装置付き車両のフックで前記掛合部材を引っ掛けて前記車両の前方に移動させ、
コンテナ脱着装置付車両から降ろすときには、前記コンテナ脱着装置付き車両のフックで前記掛合部材を引っ掛けて前記車両の後方に移動させることを特徴とする脱着式給水コンテナ。
【請求項２】
前記給水タンクに空気流通用の孔を設けた請求項１の脱着式給水コンテナ。
【請求項３】
前記空気流通用の孔にフィルタを設けた請求項１又は２の脱着式給水コンテナ。
【請求項４】
前記給水タンクの上部に水の移設用の移設孔を設け、ケミカルポンプを取り付け可能とする請求項１乃至３いずれかの脱着式給水コンテナ。
【発明の詳細な説明】
【技術分野】
【０００１】
本発明は、コンテナ脱着装置付車両に脱着自在に構成される脱着式給水コンテナに関する。
【背景技術】
【０００２】
従来の給水車は、車両に給水装置が固定されたものであり、特許文献１に記載の発明の提案がなされている。この発明は、給水車による給水作業に要する時間や費用や労力を低減することである。そのため、この発明では、荷台に筐体を取付けるとともに、筐体の内部に貯水タンクを収容し、貯水タンクに配水用のポンプを接続した給水車において、筐体の天井部に貯水タンクの給水口に連通する漏斗を配設することにした。漏斗は、筐体の天井壁を貯水タンクの給水口に向けて傾倒して形成することにした。また、天井壁を前後に分割して構成し、前側天井壁の前端部と後側天井壁の後端部とを左右側壁に傾倒可能に取付け、一方、貯水タンクの給水口を左右側壁の間隔で形成し、前側天井壁の後端部と後側天井壁の前端部とを左右側壁に沿って水密状に貯水タンクの給水口に向けて傾倒可能に形成することにした。さらに、天井壁の表面に太陽光発電パネルを設置し、太陽光発電パネルで発電した電力を用いてポンプを駆動するように構成することにした。じると、給水車全体が利用できないか又は廃棄することとなり、資源が無駄になるおそれがある。
【０００３】
しかしながら、車両に給水装置が固定されているので、車両が給水用途にしか利用できないため、震災等のときに、給水に使用するとき以外は車両が利用できないという問題がある。他の種類の脱着式コンテナと有機的な活用ができないという問題がある。給水装置及び／又は車両の部分の故障が生じた場合、交換が不可能であり、資源の有効活用をはかることができないという問題がある。さらに、震災時等の緊急時に、他のコンテナと組み合わせて有機的にコンテナ脱着装置付車両を活用することができず、非常に不便である。
【先行技術文献】
【特許文献】
【０００４】
【特許文献１】特開２００８−２９０６２７号公報
【発明の概要】
【発明が解決しようとする課題】
【０００５】
そこで、コンテナ脱着装置付き車両に脱着可能なコンテナに給水機能を付加するとともに、震災等のときに、他の種類の脱着式コンテナと組み合わせて、車両を多目的に有効利用できるようにするとともに、故障が生じても交換が容易であり資源の有効活用を図ることができる。
【課題を解決するための手段】
【０００６】
上記課題に鑑み、請求項１の発明は、底板の前部に形成される前脚と、底板の後部に形成されるローラと、コンテナ脱着装置付き車両に搭載する場合に案内するガイドと、コンテナ脱着装置付き車両に固縛する固縛装置と、前板に固定される掛合部材と、を備え、コンテナ脱着装置付車両に脱着自在に構成され、底板に固定され、供給口と排出口を有する給水タンクと、前記排出口に固定された給水管と、該給水管に配設した複数の給水バルブと、を備え、前記コンテナ脱着装置付車両に搭載されるときには、前記コンテナ脱着装置付き車両のフックで前記掛合部材を引っ掛けて前記車両の前方に移動させ、コンテナ脱着装置付車両から降ろすときには、前記コンテナ脱着装置付き車両のフックで前記掛合部材を引っ掛けて前記車両の後方に移動させることを特徴とする脱着式給水コンテナである。
【０００７】
前記給水タンクに空気流通用の孔を設けることが好ましい。
【０００８】
前記空気流通用の孔にフィルタを設けることが好ましい。
【０００９】
前記給水タンクの上部に水の移設用の移設孔を設け、ケミカルポンプを取り付け可能とすることが好ましい。
【００１０】
これにより、コンテナ脱着装置付車両を、給水に使用しないときには、脱着式給水コンテナ以外の他の用途のコンテナを回収、搬送、保管することもできる。例えば、震災時に、トイレコンテナと組み合わせて有機的にコンテナ脱着装置付車両を活用することができ、非常に効率的である。また、給水タンク、バルブ、拡散装置が故障しても、新品の脱着式給水コンテナに交換するだけでよくコンテナ脱着装置付車両までも交換する必要がない。コンテナ脱着装置付車両が故障しても他のコンテナ脱着装置付車両を利用できるので、脱着式給水コンテナまでをも交換する必要はない。さらに、予め複数の脱着式給水コンテナに水を貯留しておいて、順次、脱着式給水コンテナを積み替えて使用すれば、給水作業の手間を省くことができ、脱着式給水コンテナの積み替え作業はあるものの、作業効率が高くなる。
【発明の効果】
【００１１】
本発明は以上説明したように構成されているので、震災時等に、例えば、トイレコンテナ等の他の用途のコンテナと組み合わせて利用することで、震災時等の緊急事態において、給水面でコンテナ脱着装置付車両、脱着式コンテナの利用範囲を飛躍的に拡大することができる。
【図面の簡単な説明】
【００１２】
【図１】本実施形態の給水コンテナ１の正面図である。
【図２】同給水コンテナ１の平面図である。
【図３】同給水コンテナ１の右側面図である。
【図４】同給水コンテナ１の左側面図である。
【図５】同給水コンテナ１の底面図である。
【図６】本実施形態の給水コンテナ１がコンテナ脱着装置付車両１００に積み降ろしされる動作を示す説明図である。
【発明を実施するための形態】
【００１３】
以下に、本発明の好適な一実施形態である給水コンテナ１について図面を参照して説明する。
なお、本発明の実施の形態は、下記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。
【００１４】
図１乃至図６に示す通り、鉄鋼製の給水コンテナ１はコンテナ脱着装置付車両１００（図６参照）に積み降ろし自在に構成され、底板２の前部に形成される前脚３と、底板２の後部に形成されるローラ４と、コンテナ脱着装置付き車両１００に搭載する場合に案内するため底板２の下面に長手方向に形成されるガイド５（図５参照）と、コンテナ脱着装置付き車両１００に底板２を固縛するため底板に形成される固縛装置６（図５参照）と、底板２の前端部に左右方向に立設された前板７と、前板７に固定される掛合部材８と、を備え、底板２に固定され、供給口９と排出口１０を有する給水タンク１１と、排出口１０に固定された給水管１２と、給水管１２に配設した単数又は複数の給水バルブ１３と、を備えている。この給水バルブ１３はメインバルブとなる。そして、コンテナ脱着装置付車両１００に搭載されるときには、コンテナ脱着装置付き車両のフック１０１で掛合部材８を引っ掛けて、アーム１０２の動作により、車両１００の前方に移動させ、コンテナ脱着装置付車両１００から降ろすときには、コンテナ脱着装置付き車両１００のフック１０１で掛合部材８を引っ掛けて、アーム１０２の動作により、車両１００の後方に移動させることを特徴とする。
【００１５】
図５に示す通り、ガイド５が長手方向に間隔を開けて一対設けてある。ガイド５の間の領域に固縛装置６が形成されている。この固縛装置６は前方に突出する一対のピンを備えていて、コンテナ脱着装置付き車両１００の固縛装置に係止されるようになっている。
【００１６】
図２に示す通り、前板７の前面に縦方向に凹部７ａを形成してある。これは掛合部材８が他の部材と衝突しないようにするためである。脱着の際の重量バランスを考慮して凹部７ａを設定してある。この凹部７ａは、下部が拡幅されている。前板７に梯子を掛け止めするか、固定するようにしてもよい。これにより給水タンク１１の上部への登り降りが可能となる。
【００１７】
図４等に示す通り、掛合部材８は一対の板材にＶ字形のロッドを掛渡したものである。
【００１８】
供給口９には蓋９ａが取着されていて、開閉可能な構造となっている。
【００１９】
給水タンク１１は底板２に対して、後方下方に傾斜して固定されている。この傾斜の角度は底板２に対して１〜５度、好ましくは１〜３度の範囲である。これは給水コンテナ１をコンテナ脱着装置付車両１００に装着した場合、給水コンテナ１が前方に沈み込むことを考慮して角度のバランスを図ったためである。また、水の自重で給水管１２に流れるようにするためである。給水タンク１１は底板２の上に固定されたベース１４の上に設置されている。給水タンク１１は前後にフック掛止部１５を備えている。フック掛止部１５はフックで引っ掛けて給水コンテナ１を吊上げて移動させるものである。
【００２０】
給水タンク１１に空気流通用の孔１６を備えた管１７を設けてある。管１７にフィルタを設けることが好ましい。
【００２１】
図１に示す通り、給水タンク１１の上部に水の移設用の移設孔１８を設け、ポンプ１９を取り付け可能とすることが好ましい。移設孔１８には蓋が取着され、開閉可能な構造となっている。これにより、他の給水タンク等から水を移し替えることができる。ポンプ１９はケミカルポンプが好ましい。ケミカルポンプは薬液を安全で自動的に移送させるために薬液用のポンプであり、これを給水の移送に用いるものである。例えば、他の給水コンテナのタンクに移し替えることができる。
【００２２】
給水バルブ１３にはこれを開閉するレバー１９を備えている。給水バルブ１３には給水管１２と直交して接続され左右方向に水平に延び出す管２０と、管２０から延び出す所定間隔又は適宜間隔の形成した複数の蛇口２１と、を備えている。管２０と蛇口２１はユニットになっていて、アタッチメントにより、他の給水ユニットに交換が可能である。この給水ユニットを散水ユニットに交換できる構造としてもよい。
【００２３】
底板２の裏面の後部にはローラ４が、また前部には内側に折畳んで底板２に係止可能な前脚３が夫々一対づつ設けられている。前脚３は、図示は略すが、折り曲げ可能な構造となっており、折り曲げて底板２に掛け止めされる構造であり、給水コンテナ１を地面に設置する場合は、直立し、コンテナ脱着装置付車両１００に装着されるときは、折り畳まれる。なお、前脚３を折り曲げる代わりに、伸縮自在としてもよい。
【００２４】
図３等に示す通り、管１２を底板２上に支持する支持部材２２、管２０を底板２２上に支持する支持部材２３を設けてある。
【００２５】
給水コンテナ１の動作を説明する。給水コンテナ１をコンテナ脱着装置付車両１００に積み降ろしする場合は、吊上フック１０１を掛合部材８に取り付け、給水コンテナ１を吊り上げて移動させることで、コンテナ脱着装置付車両１００への給水コンテナ１の積み降ろしを実行する。このとき、ローラ４とガイド５の働きで、給水コンテナ１の底板２の円滑な運動を確保し、円滑な作業ができる。給水タンク１をコンテナ脱着装置付車両１００に搭載するときには、固縛装置６でコンテナ脱着装置付車両１００の固縛装置（図示略）に装着する。
【００２６】
本実施形態である給水コンテナ１の使用方法と利点の一例を説明する。給水コンテナ１をコンテナ脱着装置付車両１００に積み込んだ状態或いは積み下ろした状態のいずれでも、レバー１９を操作して給水バルブ１３を開くことができる。給水タンク１１から給水バルブ１３、管２０、蛇口２１を経て、給水が行われる。
【００２７】
給水コンテナ１は、コンテナ脱着装置付車両１００へ脱着自在であるので、給水作業や保管も容易であり、効率が高くなる。給水により給水コンテナ１が空になった場合でも、いちいち給水作業を行わずに、別の給水コンテナ１の給水タンク１１に予め水を貯留しておいて交換すればよいだけである。
【００２８】
震災等の緊急時には、コンテナ脱着装置付車両１００へ脱着自在の脱着式コンテナハウス、脱着式トイレコンテナ、脱着式シャワーコンテナ等を組み合わせて使用すれば、用途やニーズに合わせてコンテナ脱着装置付車両１００やコンテナを広く利用することが可能である。
【００２９】
なお、本発明の実施の形態は、下記の実施形態に何ら限定されるものではなく、本発明の技術的思想を逸脱しない範囲において、当該技術的範囲に属する限り種々の改変等の形態を採り得る。
【符号の説明】
【００３０】
１・・・給水コンテナ
１００・・・コンテナ脱着装置付車両
２・・・底板
３・・・前脚
４・・・ローラ
５・・・ガイド
６・・・固縛装置
７・・・前板
７ａ・・・凹部
８・・・掛合部材
９・・・供給口
１０・・・排出口
１１・・・給水タンク
１２・・・給水管
１３・・・給水バルブ
・・・ベース１４
１５・・・フック掛止部
１６・・・空気流通用の孔
１７・・・管
１８・・・移設孔
１９・・・ケミカルポンプ
２０・・・管
２１・・・蛇口
１０１・・・フック
１０２・・・アーム
【図１】
2012240584.tif 000003
【図２】
2012240584.tif 000004
【図３】
2012240584.tif 000005
【図４】
2012240584.tif 000006
【図５】
2012240584.tif 000007
【図６】
2012240584.tif 000008